(57)【特許請求の範囲】
【請求項１】
圧縮体支持台板と、この圧縮体支持台板に直角に延設されてなる押込装置取付台板とを有するカプセル圧縮体起立台の前記押込装置取付台板から突出する押込装置の伸縮ロッドの先端の押盤の上に、前記圧縮体支持台板に接触する状態にジルコニウム合金を含む放射性固体廃棄物を収納したカプセル圧縮体を載置すると共に、前記カプセル圧縮体起立台を９０度回動させることにより、前記圧縮体支持台板を水平にして起立させたカプセル圧縮体を前記押込装置の伸縮ロッドにより横方向に押して、横配設した収納容器に順次押込むことを特徴とするジルコニウム合金を含む放射性固体廃棄物を収納したカプセル圧縮体の収納容器への収納方法。
【請求項２】
ピットの底部に立設した押込装置の伸縮ロッドの先端の押盤の上に収納容器の開口部を密封する密封蓋を載置し、この密封蓋の上に、前記収納容器に収納すべき個数のジルコニウム合金を含む放射性固体廃棄物を収納したカプセル圧縮体を重ねて支持させ、重ねたカプセル圧縮体の最上部のカプセル圧縮体の上面に前記収納容器の下側を向く開口部を合わせて、前記押込装置の伸縮ロッドにより重ねたカプセル圧縮体を押上げて前記収納容器に押込むことを特徴とするジルコニウム合金を含む放射性固体廃棄物を収納したカプセル圧縮体の収納容器への収納方法。
【請求項３】
前記押込装置の伸縮ロッドによりカプセル圧縮体を前記収納容器に押込んで収納するに際して、この収納容器に振動を与えることを特徴とする請求項１または２に記載のジルコニウム合金を含む放射性固体廃棄物を収納したカプセル圧縮体の収納容器への収納方法。
【発明の詳細な説明】
【０００１】
【発明の属する技術分野】
本発明は、ジルコニウム合金を含む放射性固体廃棄物を収納したカプセル圧縮体を貯蔵のための収納容器に収納するジルコニウム合金を含む放射性固体廃棄物を収納したカプセル圧縮体の収納容器への収納方法の技術分野に属する。
【０００２】
【従来の技術】
周知のとおり、ジルコニウム合金を含む放射性固体廃棄物をカプセルに収納し、プレス等の加圧手段による圧縮で減容処理したカプセル圧縮体を収納容器に収納して所定の貯蔵場所に貯蔵する貯蔵方法が有力視されている。カプセル圧縮体を収納容器に収納する技術としては、例えばＣＯＧＥＭＡ（フランスの再処理会社）で行われるいるものが知られている。このＣＯＧＥＭＡで行われているカプセル圧縮体の収納容器への収納技術は、高圧縮技術とその施設（ＡＣＣ）の概要に関する文献に記載されているので、以下その概要を説明する。
【０００３】
即ち、ジルコニウム合金を含む放射性固体廃棄物（燃料被覆管を所定の長さに切断したものである。）をカプセルに収納し、固体廃棄物を収納したカプセルを圧縮して減容化した後、減容化した複数のカプセル圧縮体をＣＨＡと呼ばれる収納容器に収納して貯蔵するものである。
【０００４】
ところで、ジルコニウムの粉、つまりファインは発火性が極めて強いので、カプセル圧縮体をハンドリングするに際してはファイン対策として、カプセル圧縮体を高さ２ｍの位置から落下させて発火するか否かを確認するようにしている。この他に、カプセル圧縮体を収納容器に収納する際の衝撃を少なくする緩衝手段を講じることが考えられる。例えば、収納容器の内周面にばねを配設して、カプセル圧縮体が縦向き配設されてなる収納容器の底部に緩やかに降下させて着底させるという手段である。
【０００５】
【発明が解決しようとする課題】
上記従来例に係るカプセル圧縮体の収納容器への収納技術は、ファインの発火防止対策が配慮されているので、安全上の観点からするとさしたる問題はないと考えられる。確かに、安全は全てに優先する事項であるが、できればカプセル圧縮体の収納処理費が低廉であることが望ましい。しかしながら、この従来例に係るカプセル圧縮体の収納処理費の削減には限度がある。
【０００６】
つまり、カプセル圧縮体の収納容器の底面への直接落下を防ぐために、確実に品質管理されたばねを収納容器の内周面に配設する必要があるために収納容器が高価になり、カプセル圧縮体の収納容器への収納作業費が嵩むという経済上の解決すべき課題がある。
【０００７】
また、上記のとおり、収納容器の内周面にばねを配設しなければならないために、収納容器がばね分だけ大径にならざるを得ず、ジルコニウムを含む放射性固体廃棄物はカプセル圧縮体で減容化されているとはいうものの、さらなる減容化が阻まれ、貯蔵場所の収納容器貯蔵効率の低下を余儀なくされるという解決すべき課題もあった。
【０００８】
従って、本発明は、ファインが発火する恐れがなく、しかもさらなる減容化を可能ならしめるジルコニウム合金を含む放射性固体廃棄物を収納したカプセル圧縮体の収納容器への収納方法の提供を目的とする。
【０００９】
【課題を解決するための手段】
本発明は、上記実情に鑑みてなされたものであって、従って上記課題を解決するために、本発明の請求項１に係るジルコニウム合金を含む放射性固体廃棄物を収納したカプセル圧縮体の収納容器への収納方法の要旨は、圧縮体支持台板と、この圧縮体支持台板に直角に延設されてなる押込装置取付台板とを有するカプセル圧縮体起立台の前記押込装置取付台板から突出する押込装置の伸縮ロッドの先端の押盤の上に、前記圧縮体支持台板に接触する状態にジルコニウム合金を含む放射性固体廃棄物を収納したカプセル圧縮体を載置すると共に、前記カプセル圧縮体起立台を９０度回動させることにより、前記圧縮体支持台板を水平にして起立させたカプセル圧縮体を前記押込装置の伸縮ロッドにより横方向に押して、横配設した収納容器に順次押込むことを特徴とする。
【００１０】
また、上記課題を解決するために、本発明の請求項２に係るジルコニウム合金を含む放射性固体廃棄物を収納したカプセル圧縮体の収納容器への収納方法の要旨は、ピットの底部に立設した押込装置の伸縮ロッドの先端の押盤の上に収納容器の開口部を密封する密封蓋を載置し、この密封蓋の上に、前記収納容器に収納すべき個数のジルコニウム合金を含む放射性固体廃棄物を収納したカプセル圧縮体を重ねて支持させ、重ねたカプセル圧縮体の最上部のカプセル圧縮体の上面に前記収納容器の下側を向く開口部を合わせて、前記押込装置の伸縮ロッドにより重ねたカプセル圧縮体を押上げて前記収納容器に押込むことを特徴とする。
【００１１】
また、上記課題を解決するために、本発明の請求項３に係るジルコニウム合金を含む放射性固体廃棄物を収納したカプセル圧縮体の収納容器への収納方法の要旨は、請求項１または２に記載のジルコニウム合金を含む放射性固体廃棄物を収納したカプセル圧縮体の収納容器への収納方法において、前記押込装置の伸縮ロッドによりカプセル圧縮体を前記収納容器に押込んで収納するに際して、この収納容器に振動を与えることを特徴とする。
【００１２】
【発明の実施の形態】
以下、本発明の請求項１と３とに対応する実施の形態１に係るカプセル圧縮体の収納容器への収納方法を実現するカプセル圧縮体収納装置を、カプセル圧縮体起立台へのカプセル圧縮体の移載状況説明図の図１（ａ）と、カプセル圧縮体の起立状態説明図の図１（ｂ）と、１個のカプセル圧縮体を収納容器に押込んだ状態説明図の図１（ｃ）と、複数のカプセル圧縮体を収納容器に押込んだ状態説明図の図１（ｄ）と、カプセル圧縮体を収納した収納容器の断面図の図３とを参照しながら説明する。
【００１３】
即ち、図１（ａ），図１（ｂ），図１（ｃ）および図１（ｄ）に示す符号１はカプセル圧縮体を収納する収納容器であって、この収納容器１は横置きされている。そして、この収納容器１の開口部１ａは後述する構成になるカプセル圧縮体起立台３に向けられている。
【００１４】
前記カプセル圧縮体起立台３は、起立したカプセル圧縮体６を支持する圧縮体支持台板３ａと、この圧縮体支持台板３ａに直角に延設され、開口部１ａから収納容器１内に起立したカプセル圧縮体６を押込む後述する構成になる押込装置４が付設される押込装置取付台板３ｂとからなっている。そして、このカプセル圧縮体起立台３は、前記圧縮体支持台板３ａと押込装置取付台板３ｂとの交点に設けられた水平支点軸３ｃを支点として、図示しない起立台作動機構の作動により圧縮体支持台板３ａが水平状態から垂直になる範囲（同じく、押込装置取付台板３ｂが水平状態から垂直になる範囲）、つまり９０度の範囲で揺動されるように構成されている。
【００１５】
なお、起立台作動機構としては、例えば油圧シリンダ、電動シリンダ等を用いることができる。また、前記圧縮体支持台板３ａには、カプセル圧縮体６の転動による転落を防ぐために、例えば断面がＶ型で相対する斜面でカプセル圧縮体６の外周面を摺動可能に支えるＶ溝等が設けられていることが好ましい。
【００１６】
前記押込装置４は、前記カプセル圧縮体起立台３の押込装置取付台板３ｂに取付けられる押込装置本体４ａと、この押込装置本体４ａにより伸縮され、押込装置取付台板３ｂを貫通する伸縮ロッド４ｂと、この伸縮ロッド４ｂの先端に取付けられる押盤４ｃとから構成されている。
【００１７】
前記押盤４ｃは、押込装置取付台板３ｂが水平になったとき、伸縮ロッド４ｂが縮小されることにより押込装置取付台板３ｂに最接近し、接近した状態で移送台車５で移送されてきたカプセル圧縮体６を移送台車５から受取る。そして、起立台作動機構によるカプセル圧縮体起立台３の揺動によって圧縮体支持台板３ａが水平状態になったとき、伸縮ロッド４ｂが伸長されることにより、圧縮体支持台板３ａ上において起立しているカプセル圧縮体６を、開口部１ａから収納容器１内に押込む働きをするものである。なお、移送台車５には、ブレーキが設けられると共に、移送台車５の上から押盤４ｃの上へカプセル圧縮体６を押して移載するための図示しないカプセル圧縮体移載装置が設けられている。
【００１８】
以下、上記実施の形態１に係るカプセル圧縮体収納装置の使用態様を説明すると、収納容器１が横置きされた状態にて、押込装置４の伸縮ロッド４ｂが縮小されることにより押盤４ｃが押込装置取付台板３ｂに最接近すると、起立台作動機構の作動により押込装置取付台板３ｂが水平になるようにカプセル圧縮体起立台３が揺動される。
【００１９】
そして、移送台車５からカプセル圧縮体６がカプセル圧縮体移載装置により押されて押盤４ｃの上に移載されると、起立台作動機構の逆作動により押込装置取付台板３ｂが垂直、つまり圧縮体支持台板３ａが水平になるようにカプセル圧縮体起立台３が揺動されて、カプセル圧縮体６の円周部分が圧縮体支持台板３ａに支えられて起立すると、伸縮ロッド４ｂが伸長され、押盤４ｃでカプセル圧縮体６が押されて収納容器１内に移動する。このような作業の繰返しにより、収納容器１内に所定数のカプセル圧縮体６が押込まれると、図３に示すように、この収納容器１の開口部１ａが密封蓋２により閉蓋されて、一連のカプセル圧縮体６の収納容器１への収納作業が終了する。
【００２０】
このようなカプセル圧縮体６の収納容器１への収納作業において、カプセル圧縮体６が収納容器１の底部まで直接落下することがないので、従来例に係る収納方法のように、収納容器１の内周にばねを配設する必要がない。従って、収納容器１のコストを従来よりも低減することができると共に、ばねの分だけ収納容器１の外径を小径にすることができるので、貯蔵場所の収納容器貯蔵効率の向上が可能になるという効果がある。
【００２１】
ところで、収納容器１を加振装置を備えた収納容器支持台の上に積載し、この加振装置の加振により収納容器１に微振動を作用させると、収納容器１の内周面とカプセル圧縮体６の外周面との間の動摩擦係数が小さくなり、カプセル圧縮体６をよりスムーズにかつ短時間で収納容器１内に押込むことができるので、カプセル圧縮体の収納容器への収納作業時間が短縮され、収納作業能率が向上する。なお、収納容器に付与する振動の振幅と振動数については、何回かの収納テストの結果によって決定されるものである。
【００２２】
次に、本発明の請求項２と３とに対応する実施の形態２に係るジルコニウム合金を含む放射性固体廃棄物を収納したカプセル圧縮体の収納容器への収納方法を実現するカプセル圧縮体収納装置を、カプセル圧縮体の収納容器への収納状況説明図の図２（ａ），（ｂ），（ｃ）および（ｄ）を参照しながら、上記実施の形態１に係るカプセル圧縮体の収納容器への収納方法を実現するカプセル圧縮体収納装置と同一のもの並びに同一機能を有するものを同一符号を以て説明する。
【００２３】
即ち、図に示す符号Ｐはピットであって、このピットＰには後述する押込装置４が配設されている。この押込装置４は、ピットＰの底部に立設される押込装置本体４ａと、この押込装置本体４ａにより上下方向に伸縮される伸縮ロッド４ｂと、この伸縮ロッド４ｂの上端に取付けられ、収納容器１の密封蓋２が載置される押盤４ｃとからなる構成になっている。
【００２４】
以下、上記実施の形態２に係るカプセル圧縮体収納装置の作用態様を説明すると、先ず密封蓋２の上面が作業床Ｌと面一になるように押込装置４の伸縮ロッド４ｂを伸長させる。そして、密封蓋２の上面にカプセル圧縮体６を積載すると共に、積載したカプセル圧縮体６の厚さ分だけ伸縮ロッド４ｂを縮小させて、カプセル圧縮体６の上面が作業床Ｌと面一になるように押込装置４の伸縮ロッド４ｂを伸長させて、今度はカプセル圧縮体６の上面に次のカプセル圧縮体６を積載して積載したカプセル圧縮体６の厚さ分だけ伸縮ロッド４ｂを縮小させるという繰返しにより、収納容器１に収納すべき数のカプセル圧縮体６を積載する。
【００２５】
このようにして、カプセル圧縮体６の積載が終了すると、収納容器１の開口部１ａを下向きにして、積載されているカプセル圧縮体６の最上部のカプセル圧縮体６と開口部１ａとを合わせる。そして、密封蓋２が収納容器１の開口部１ａを閉蓋する位置まで押込装置４の伸縮ロッド４ｂを伸長させた後に、収納容器１の開口部１ａを密封蓋２により閉蓋すると共に、図３に示すように、図示しない反転装置により閉蓋した収納容器１を反転させることにより、収納容器１へのカプセル圧縮体６の一連の収納作業が終了する。
【００２６】
本実施の形態２によれば、カプセル圧縮体６の収納容器１への収納作業において、カプセル圧縮体６が収納容器１の底部まで直接落下することがないので、上記実施の形態１と同効である。勿論、収納容器１を加振装置を持つ収納容器支持台で支持し、加振装置の加振により収納容器１に微振動を作用させると、収納容器１の内周面とカプセル圧縮体６の外周面との間の動摩擦係数が小さくなるので、カプセル圧縮体６をよりスムーズに収納容器１内に押込むことができる。
【００２７】
【発明の効果】
以上述べたように、本発明の請求項１または２に係るカプセル圧縮体の収納容器への収納方法によれば、カプセル圧縮体を押込装置により押込んで収納容器に収納する。従って、従来のように、カプセル圧縮体の収納容器への収納作業において、カプセル圧縮体が収納容器の底部まで直接落下することがなく、収納容器の内周面にばね等の緩衝手段を設ける必要がないので、収納容器のコストを従来よりも低減することができると共に、ばねの分だけ収納容器を小径にすることができるので、貯蔵場所の収納容器貯蔵効率が向上するという優れた効果がある。
【００２８】
さらに、本発明の請求項３に係るカプセル圧縮体の収納容器への収納方法によれば、押込装置によりカプセル圧縮体を収納容器に押込むに際して、収納容器を微振動させるので、収納容器の内周面とカプセル圧縮体の外周面との間の動摩擦係数が小さくなり、カプセル圧縮体をよりスムーズに収納容器内に押込むことができるので、カプセル圧縮体の収納容器への収納作業能率の向上に大いに寄与することができる。
【図面の簡単な説明】
【図１】本発明の実施の形態１に係るカプセル圧縮体の収納容器への収納方法を実現するカプセル圧縮体収納装置に関し、図１（ａ）はカプセル圧縮体起立台へのカプセル圧縮体の移載状況説明図であり、図１（ｂ）はカプセル圧縮体の起立状態説明図であり、図１（ｃ）は１個のカプセル圧縮体を収納容器に押込んだ状態説明図であり、また図１（ｄ）は複数のカプセル圧縮体を収納容器に押込んだ状態説明図である。
【図２】本発明の実施の形態２に係るジルコニウム合金を含む放射性固体廃棄物を収納したカプセル圧縮体の収納容器への収納方法を実現するカプセル圧縮体収納装置に関し、図２（ａ），（ｂ），（ｃ），（ｄ）はカプセル圧縮体の収納容器への収納状況説明図である。
【図３】カプセル圧縮体を収納した収納容器の断面図である。
【符号の説明】
１…収納容器、１ａ…開口部
２…密封蓋
３…カプセル圧縮体起立台、３ａ…圧縮体支持台板、３ｂ…押込装置取付台板、３ｃ…水平支点軸
４…押込装置、４ａ…押込装置本体、４ｂ…伸縮ロッド、４ｃ…押盤
５…移送台車
６…カプセル圧縮体
Ｐ…ピット
【図１】
0003764204.tif 000002
【図２】
0003764204.tif 000003
【図３】
0003764204.tif 000004